(57)【要約】【課題】携帯電話が有する機能について検索を行う際の検索語の選択をより容易にすることを目的とする。【解決手段】携帯電話１は、その諸機能の説明データを記憶した機能説明データベース３０におけるこれら諸機能のうちのいずれかの機能の検索に使用する検索語の入力を受け付ける検索語受付部２０と、予め登録されている他の携帯電話に検索語を送信していずれかの機能を機能説明データベース３０から検索できるキーワードを照会するキーワード照会部４１と、このキーワードと検索語の対応付けをキーワード変換データベース３１に登録する検索語登録部４３と、キーワード変換データベース３１において検索語に対応付けられたキーワードによって、機能説明データベース３０から説明データを検索する機能検索部２１と、を備える。【選択図】図２
2010034693.tif 000002
【特許請求の範囲】
【請求項１】
携帯電話であって、
該携帯電話としての第１の携帯電話が有する諸機能の説明データを記憶しかつ第１の携帯電話からアクセスできる機能説明データベースにおける、前記諸機能のうちのいずれかの機能の検索に使用する検索語の入力を受け付ける検索語受付部と、
予め登録されている他の携帯電話としての第２の携帯電話に、前記検索語を送信して前記いずれかの機能を前記機能説明データベースから検索できるキーワードを照会するキーワード照会部と、
第２の携帯電話から取得した前記キーワード、前記検索語受付部により受け付けた前記検索語、及び該キーワードと該検索語との対応付けを、第１の携帯電話からアクセスできるキーワード変換データベースに登録する検索語登録部と、
前記キーワード変換データベースにおいて前記検索語受付部により受け付けた検索語に対応付けられたキーワードによって、前記機能説明データベースから前記いずれかの機能の説明データを検索する機能検索部と、
を備える携帯電話。
【請求項２】
携帯電話であって、該携帯電話としての第１の携帯電話は、
他の携帯電話としての第２の携帯電話から、第２の携帯電話が有する諸機能の説明データを記憶しかつ第２の携帯電話からアクセスできる機能説明データベースにおける、前記諸機能のうちのいずれかの機能の検索に使用する検索語を受信し、前記いずれかの機能について前記機能説明データベースで使用されるキーワードに関する照会を受け付けるキーワード照会受付部と、
前記検索語をユーザに表示する表示部と、
前記ユーザによる前記キーワードの入力を受け付けるキーワード受付部と、
入力された前記キーワードを送信することにより第２の携帯電話に対して前記キーワードの照会へ回答する照会回答部と、
を備える携帯電話。
【請求項３】
請求項１に記載の携帯電話としての第１の携帯電話と、請求項２に記載の携帯電話としての第２の携帯電話とを備え、
前記第２の携帯電話の前記キーワード照会受付部が、前記第１の携帯電話の前記キーワード照会部によるキーワードに関する照会を受け付け、
前記第２の携帯電話の前記照会回答部が、前記第１の携帯電話の前記キーワード照会部によるキーワードに関する照会に回答する通信システム。
【請求項４】
第１の携帯電話が有する諸機能の説明データを記憶しかつ第１の携帯電話からアクセスできる機能説明データベースにおける、前記諸機能のうちのいずれかの機能の検索に使用する検索語の入力を、第１の携帯電話が受け付け、
第１の携帯電話が、予め第１の携帯電話に登録された第２の携帯電話に、前記検索語を送信して前記いずれかの機能について前記機能説明データベースで使用されるキーワードを照会し、
第２の携帯電話が、前記検索語をユーザに表示し、
第２の携帯電話が、前記ユーザによる前記キーワードの入力を受け付け、
第２の携帯電話が、入力された前記キーワードを第１の携帯電話に送信し、
第１の携帯電話が、第２の携帯電話から受信した前記キーワード、受け付けた前記検索語、及び該キーワードと該検索語との対応付けを、第１の携帯電話からアクセスできるキーワード変換データベースに登録し、
第１の携帯電話が、前記キーワード変換データベースにおいて前記検索語に対応付けられたキーワードによって、前記機能説明データベースから前記いずれかの機能の説明データを検索する、携帯電話の機能説明の検索方法。
【発明の詳細な説明】
【技術分野】
【０００１】
操作機能の検索手段を有する携帯電話及び携帯電話においてその操作機能の説明を検索する検索方法に関する。
【背景技術】
【０００２】
携帯電話の普及に伴い、近年では、例えば高齢者のような、携帯電話の操作に不慣れな利用者が携帯電話の操作を行うことが多くなってきた。
【０００３】
このため、自機が有する機能について検索手段を有する携帯電話が提案されている。下記特許文献１には、移動通信装置にユーザがキーワードを入力して固定通信装置側に送信すると、固定通信装置がオンラインのデータベースからそのキーワードに関連する機能の検索を行って検索結果を移動通信装置へ送信し、移動通信装置が検索結果に基づいて各機能の起動を行う移動通信システムが開示される。
【０００４】
下記特許文献２には、操作機能の検索手段を有する携帯電話機が開示される。この検索手段は、例えば「自局番号表示」の操作機能に対応したキーワードの「ジキョクバンゴウヒョウジ」を含む複数のキーワードをカナ文字で５０音順に記憶する検索用の検索テーブルと、検索したい「自局番号表示」に対応した「ジキョクバンゴウヒョウジ」を別のキーワード「マイバンゴウ」に変更するキーワード変更部と、検索したい所望の操作機能である「マイバンゴウ」について、一つの先頭カナ文字「マ」を入力して上記検索テーブルを検索してその操作機能が得られない場合には、さらに次のカナ文字「イ」を追加して入力して上記検索テーブルの検索を繰り返して検索すべき操作機能を絞り込む制御部とを備える。
【０００５】
なお、下記特許文献３には、連想キーワードにない単語が入力された場合にこの単語を短期記憶領域に記憶させ、別の単語を入力して検索キーワードが得られた場合、これらをリンクさせて連想キーワードデータベースに登録することにより、より容易に検索を行うことを可能とするデータベース検索装置が開示される。
【０００６】
【特許文献１】特開２００５−１３６５７４号公報
【特許文献２】特開２００５−５８１２号公報
【特許文献３】特開平３−０４００７０号公報
【発明の開示】
【発明が解決しようとする課題】
【０００７】
しかし、携帯電話の操作に不慣れな利用者は、従来提案されている検索手段を利用しようとしても、検索キーワードとして使用される、携帯電話のメーカーが定めた機能の用語自体（たとえば、音設定という用語）を知らないことが多い。このため、このような利用者は、携帯電話に用意されている機能を全て使うことが出来ないという課題があった。
【０００８】
上記問題点に鑑み、開示の装置、システム及び方法は、携帯電話が有する機能についての検索をより容易にすることを目的とする。
【課題を解決するための手段】
【０００９】
開示の装置の第１形態は携帯電話であり、この携帯電話を第１の携帯電話とし第１の携帯電話に予め登録されている他の携帯電話を第２の携帯電話とすると、第１の携帯電話は、その諸機能の説明データを記憶する機能説明データベースと、キーワード変換データベースにアクセスでき、機能説明データベースにおける第１の携帯電話の諸機能のうちのいずれかの機能の検索に使用する検索語の入力を受け付ける検索語受付部と、第２の携帯電話に検索語を送信していずれかの機能を機能説明データベースから検索できるキーワードを照会するキーワード照会部と、第２の携帯電話から取得したキーワード、検索語受付部により受け付けた検索語、及び該キーワードと該検索語との対応付けをキーワード変換データベースに登録する検索語登録部と、キーワード変換データベースにおいて検索語受付部により受け付けた検索語に対応付けられたキーワードによって、機能説明データベースからいずれかの機能の説明データを検索する機能検索部と、を備える。
【００１０】
開示の装置の第２形態は携帯電話であり、この携帯電話を第１の携帯電話とし他の携帯電話を第２の携帯電話とすると、第２の携帯電話は、その諸機能の説明データを記憶する機能説明データベースにアクセスでき、第１の携帯電話は、第２の携帯電話から、機能説明データベースにおける第２の携帯電話の諸機能のうちのいずれかの機能の検索に使用する検索語を受信していずれかの機能について機能説明データベースで使用されるキーワードに関する照会を受け付けるキーワード照会受付部と、検索語をユーザに表示する表示部と、ユーザによるキーワードの入力を受け付けるキーワード受付部と、入力されたキーワードを送信することにより第２の携帯電話に対してキーワードの照会へ回答する照会回答部と、を備える。
【００１１】
開示の方法は、第１の携帯電話が有する諸機能の説明データを記憶しかつ第１の携帯電話からアクセスできる機能説明データベースにおける、上記諸機能のうちのいずれかの機能の検索に使用する検索語の入力を第１の携帯電話が受け付け、第１の携帯電話が予め第１の携帯電話に登録された第２の携帯電話に検索語を送信していずれかの機能について機能説明データベースで使用されるキーワードを照会し、第２の携帯電話が検索語をユーザに表示し、第２の携帯電話がユーザによるキーワードの入力を受け付け、第２の携帯電話が入力されたキーワードを第１の携帯電話に送信し、第１の携帯電話が、第２の携帯電話から受信したキーワード、受け付けた検索語及び該キーワードと該検索語との対応付けを第１の携帯電話からアクセスできるキーワード変換データベースに登録し、第１の携帯電話がキーワード変換データベースにおいて検索語に対応付けられたキーワードによって、機能説明データベースからいずれかの機能の説明データを検索する。
【００１２】
なお、本明細書及び特許請求の範囲において、携帯電話からアクセスできるデータベースのような記載において使用される「アクセスできる」という語は、その携帯電話自身がそのデータベースを備えている場合や、そのデータベースがその携帯電話の外部に設けられており、その携帯電話が通信回線や通信ネットワーク等の何らかの情報伝達媒体を介してそのデータベースにアクセスできる状態を意味する。
なお、本明細書及び特許請求の範囲において使用される「検索語」の語は、単数の単語、複数の単語、文、文節及び文章の何れの形態をも含む意味で使用される。
【発明の効果】
【００１３】
開示の装置、システム及び方法によって、仮に携帯電話の利用者が、携帯電話の機能検索に使用すべき正確なキーワードを知らなくても、所望の情報を取得することが可能となる。
【発明を実施するための最良の形態】
【００１４】
以下、添付する図面を参照して実施例を説明する。図１は、開示の携帯電話の機能説明の検索方法の第１実施例を示すフローチャートである。開示の検索方法では、ある携帯電話にて機能説明の検索を行うときに、入力された検索語では携帯電話の諸機能の説明データを記憶する機能説明データベースにおいて説明データを検索できない場合に、他の携帯電話に、機能説明データベースにおいて所望の機能の説明を検索するために使用すべきキーワードを照会する。
以下の説明において、機能説明の検索が実行される携帯電話を「端末Ａ」と示すことがあり、端末Ａからキーワードの照会を受け付ける端末Ａと異なる他の携帯電話を「端末Ｂ」と示すことがある。
【００１５】
ステップＳ１０では、説明を検索したい機能を示す検索語をユーザが入力したとき、端末Ａは、入力された検索語を受け付ける。
ステップＳ１１において端末Ａは、入力された検索語をキーワードに用いて、携帯電話の諸機能の説明データを記憶する機能説明データベースにおける検索を試みる。入力された検索語に対応する説明データを機能説明データベースにおいて検索できた場合には、検索された機能説明をユーザにステップＳ２７において表示して、処理を終了する。
また端末Ａは、後述のキーワード変換データベースにおいて、上記検索語をキーワードに用いて検索を実行する。キーワード変換データベースにおいて検索結果が得られた場合の処理については後述する。
【００１６】
入力された検索語では検索結果を得られない場合には、ステップＳ１２において端末Ａは、ステップＳ１０で入力された検索語を端末Ｂに送信することによって、説明を検索したい機能を機能説明データベースから検索できるキーワードを端末Ｂに照会する。
【００１７】
ステップＳ１３において端末Ａから送信された検索語を受信した端末Ｂは、ステップＳ１４において、受信された検索語をユーザに表示する。これによって端末Ｂは、受信した検索語によって示される機能を機能説明データベースから検索する際に使用すべきキーワードを入力するように、端末Ｂのユーザに促す。
ステップＳ１５において端末Ｂは、そのユーザによって入力された、検索語に対応するキーワードを受け付ける。
【００１８】
ステップＳ１６において端末Ｂは、ステップＳ１５で入力されたキーワードを端末Ａへ送信し、このキーワードを用いて機能説明データベースにて機能の説明データの検索を行うように端末Ａに依頼する。
ステップＳ１７において端末Ｂからキーワードを受信した端末Ａは、ステップＳ１８にて受信したキーワードを用いて機能説明データベースにて機能の説明データの検索を行い、得られた検索結果である機能説明のデータをステップＳ１９にて端末Ｂに送信する。
【００１９】
ステップＳ２０において端末Ａから機能説明のデータを受信した端末Ｂは、受信した機能説明のデータを端末Ｂのユーザに表示して（ステップＳ２１）、ステップＳ１５にて入力されたキーワードによって検索されたデータの採否をユーザに問い合わせる。ステップＳ２２において、ユーザから「不採用」を示す入力を端末Ｂが受け付けると、処理はステップＳ１５に戻り端末Ｂは再度キーワードの入力をユーザに促す。
【００２０】
ステップＳ２２において、ユーザから「採用」を示す入力を端末Ｂが受け付けると、ステップＳ２３において端末Ｂは、ステップＳ１３で受信した検索語と、ステップＳ１５で入力したキーワードとをリンクさせるキーワードリンクを、端末Ａからアクセスできるキーワード変換データベースに追加する指示（キーワードリンク追加指示）を、端末Ａに送信する。
【００２１】
ステップＳ２４においてキーワードリンク追加指示を受信した端末Ａは、ステップＳ２５においてキーワード変換データベースに、端末Ｂから指示されたキーワードリンクを追加する。
ステップＳ２６において端末Ａは、キーワード変換データベースにキーワードリンクが追加されたキーワードを用いて、機能説明データベースにて機能の説明データの検索を行い、得られた検索結果である機能説明のデータをステップＳ２７にてユーザに表示する。
【００２２】
ステップＳ１１にて行われる端末Ａによるキーワード変換データベースにおける検索について説明する。ステップＳ１１において端末Ａは、キーワード変換データベースにおいてステップＳ１０で入力した検索語をキーワードに用いて検索を実行し、キーワード変換データベースにおいて検索語とリンクされたキーワードが検索されたとき、検索されたキーワードを用いて、機能説明データベースにおいて説明データを検索する。そして検索された機能説明をユーザにステップＳ２７において表示する。
【００２３】
したがってステップＳ１２〜Ｓ２５の処理によって、ある検索語とこの検索語に対するキーワードとのリンクがキーワード変換データベースに登録されると、以後、端末Ａは、この検索語を用いて所望の機能の説明データを機能説明データベースから検索できるようになる。
開示の方法によって、端末Ａの所有者にとって、よく使うなじみ深い用語を端末Ａの機能説明の検索の際に検索語として使用することが可能になる。これにより、携帯電話のメーカーが定めた特定のキーワードを知らなくても、所望の機能のガイダンスメニューを表示することが可能となる。
【００２４】
図２は、開示の携帯電話１の第１実施例を示す概略構成図である。携帯電話１は、アンテナ１０と、アンテナ１０を介した基地局（図示せず）との無線信号の送受信を制御する無線制御部１１と、基地局と携帯電話１との間の呼の制御を行う呼制御部１２と、無線制御部１１及び呼制御部１２により確立された無線回線上において電子メール（以下、単に「メール」と記す）の送受信処理を行うメール送受信部１３を備えている。
【００２５】
また携帯電話１は、電話をする相手先の電話番号の指定を行うほかメールの内容の入力や携帯電話１の操作を行うためのキー入力部１４と、キー入力部１４を制御するためのキー制御部１５を備える。キー入力部１４及びキー制御部１５は、携帯電話１により提供されるグラフィカルユーザインタフェースの操作や、グラフィカルユーザインタフェースにおける文字入力にも使用される。このグラフィカルユーザインタフェースには、携帯電話１が有する機能の機能説明ガイダンスを検索するための機能検索メニューも含まれる。
【００２６】
さらに携帯電話１は、着信した電話の相手先に関する情報（名前や電話番号）のほか受信メールや編集中の送信メールのメール内容が表示される表示部１６と、表示部１６を制御して上記情報を表示部１６上に表示する画面制御部１７とを備えている。表示部１６及び画面制御部１７は、上述のグラフィカルユーザインタフェースを表示するためにも使用される。
【００２７】
携帯電話１は、キー制御部１５及び画面制御部１７を制御して、表示部１６に表示される上記の機能検索メニューを実現する機能検索ユーザインタフェース制御部２０と、機能検索メニューを介してユーザから入力された検索語をキーワードに使用して、機能説明データベース（機能説明ＤＢ）３０及びキーワード変換データベース（キーワード変換ＤＢ）３１における検索を行う機能検索部２１を備える。
【００２８】
また携帯電話１は、入力された検索語を用いて機能検索部２１が行う機能説明ＤＢ３０及びキーワード変換ＤＢ３１における検索において、所望の機能の説明データが得られないとき、この所望の機能の説明データを機能説明データベースから検索する際に使用すべきキーワードを他の携帯電話１に照会するキーワード照会処理部４０を備える。
【００２９】
図３は、図２に示すキーワード照会処理部４０の概略構成を示すブロック図である。キーワード照会処理部４０は、キーワード照会部４１と、照会先メールアドレス記憶部４２と、検索語登録部４３と、検索依頼受付部４４と、ＤＢ検索依頼部４５と、検索結果送信部４６を備える。
【００３０】
キーワード照会部４１は、機能検索部２１から、入力された検索語を用いた機能説明ＤＢ３０及びキーワード変換ＤＢ３１における検索では検索結果が得られない旨の通知を受信すると、所望の機能の説明データを機能説明データベースから検索する際に使用すべきキーワードを照会する電子メール（以下「キーワード照会依頼メッセージ」と示す）を作成する。キーワード照会依頼メッセージは、入力された検索語を含み、照会先メールアドレス記憶部４２に予め記憶されたメールアドレスの携帯電話を宛先に有する。
【００３１】
キーワード照会依頼メッセージの宛先となる携帯電話を、以下、図１を参照した上記説明と同様に「端末Ｂ」と示す。キーワード照会部４１は、キーワード照会依頼メッセージの送信をメール送受信部１３へ依頼することにより、所望の機能の説明データを機能説明データベースから検索する際に使用すべきキーワードを端末Ｂに照会する。
またキーワード照会部４１は、端末Ｂから送信された上記照会に応答する電子メール（以下「キーワードリンク追加指示メッセージ」と示す）を、メール送受信部１３を介して受信する。
【００３２】
キーワードリンク追加指示メッセージは、入力された検索語と、所望の機能の説明データを機能説明データベースから検索する際に使用すべきキーワードとの組み合わせを含み、この組み合わせによってこれら検索語とキーワードのリンク、すなわちこれら検索語とキーワードとの間の対応付けを示す。検索語とキーワードとの間の対応付けを「キーワードリンク」と示すことがある。
検索語登録部４３は、キーワード照会部４１が端末Ｂから受信したキーワードリンク追加指示メッセージに含まれるキーワードリンクを、キーワード変換ＤＢ３１に登録する。
【００３３】
検索依頼受付部４４は、端末Ｂから、あるキーワードによる機能説明ＤＢ３０における検索を依頼する電子メール（以下「キーワード検索依頼メッセージ」と示す）を、メール送受信部１３を介して受信する。キーワード検索依頼メッセージには、検索に使用されるキーワードが含まれる。
ＤＢ検索依頼部４５は、検索依頼受付部４４が受信したキーワードを用いて、機能説明ＤＢ３０において検索を行うことを機能検索部２１に依頼しその検索結果を受信する。
検索結果送信部４６は、ＤＢ検索依頼部４５が受信した検索結果を端末Ｂへ送信する電子メール（以下「キーワード検索結果メッセージ」と示す）を作成する。キーワード検索結果メッセージは、キーワード検索依頼メッセージにて検索を依頼されたキーワードと、キーワードにより機能検索部２１が実行した検索の検索結果との組み合わせを含み、端末Ｂを宛先に有する。検索結果送信部４６は、キーワード検索結果メッセージの送信をメール送受信部１３へ依頼する。
【００３４】
図２に示すように、携帯電話１は、他の携帯電話からキーワード照会依頼メッセージを受信したときに、キーワード照会依頼メッセージに応答する処理を行うキーワード回答処理部５０と、キー制御部１５及び画面制御部１７を制御して、表示部１６に表示されるキーワード入力画面を実現するキーワード入力ユーザインタフェース制御部６０とを備える。キーワード入力画面は、キーワード照会依頼メッセージに含まれる検索語をユーザに表示するとともに、この検索語により示される機能の説明の検索に使用すべき正規のキーワードの入力をユーザに促すユーザインタフェースである。
【００３５】
図４は、図２に示すキーワード回答処理部５０の概略構成を示すブロック図である。キーワード回答処理部５０は、キーワード照会受付部５１と、照会回答部５２と、検索依頼部５３と検索結果受信部５４を含む。以下、図１を参照した上記説明と同様に、キーワードの照会元となる他の携帯電話、すなわちキーワードの照会依頼メッセージの送信元となる他の携帯電話を「端末Ａ」と示す。
キーワード照会受付部５１は、端末Ａから送信されたキーワード照会依頼メッセージをメール送受信部１３を介して受信し、キーワード照会依頼メッセージに含まれる検索語をキーワード入力ユーザインタフェース制御部６０へ出力する。
【００３６】
照会回答部５２は、キーワード入力画面を介してユーザが入力したキーワードをキーワード入力ユーザインタフェース制御部６０から入力し、キーワードリンク追加指示メッセージを作成する。キーワードリンク追加指示メッセージは、キーワード入力ユーザインタフェース制御部６０から入力したキーワードと、キーワード照会依頼メッセージに含まれていた検索語との組み合わせをキーワードリンクとして含み、端末Ａを宛先とする。照会回答部５２は、キーワードリンク追加指示メッセージの送信をメール送受信部１３へ依頼することにより、端末Ａに、キーワードリンクをキーワード変換ＤＢ３１に登録するように指示する。
【００３７】
検索依頼部５３は、キーワード入力画面を介してユーザが入力したキーワードをキーワード入力ユーザインタフェース制御部６０から入力し、キーワード検索依頼メッセージを作成する。キーワード検索依頼メッセージは、キーワード入力ユーザインタフェース制御部６０から入力したキーワードが含み、端末Ａを宛先とする。検索依頼部５３は、キーワード検索依頼メッセージの送信をメール送受信部１３へ依頼することにより、このキーワードを用いて機能説明ＤＢ３０における検索を行うように端末Ａに依頼する。
【００３８】
検索結果受信部５４は、端末Ａから送信されたキーワード検索結果メッセージをメール送受信部１３を介して受信し、キーワード検索結果メッセージに含まれる検索結果をキーワード入力ユーザインタフェース制御部６０へ出力する。
【００３９】
図５は、図２に示す機能説明データベース３０のデータ構造の例を示す図である。図示の機能説明データベース３０は、携帯電話１が有する操作機能の説明データを格納する領域８０と、領域８０に格納データを機能説明データベース３０において検索する際に使用するキーワードを格納する領域８１とを備え、各説明データにそれぞれ対応するキーワードが格納されるテーブル構造を有している。例えば１行目のレコードを参照すると、携帯電話１の着信音を変える操作機能の説明データ「電話の着信音を変えるときは１を押して下し」が領域８０に格納され、この説明データに対応するキーワードとして「音設定」が記憶される。
【００４０】
図６は、図２に示すキーワード変換データベース３１のデータ構造の例を示す図である。キーワード変換データベース３１は、携帯電話１のユーザが、機能説明データベース３０において携帯電話１が有する操作機能の説明データを過去に検索する際に使用した検索語と、この検索語による検索を行った際にユーザが所望した説明データを検索する際に使用すべきキーワードとの対応付け、すなわちこれら検索語とキーワードとのリンクが記憶される。
【００４１】
このため、図示のキーワード変換データベース３１は、携帯電話１のユーザが、過去に検索に使用した検索語を格納する領域８２と、検索語による検索を行った際にユーザが所望した説明データを検索する際に使用すべきキーワードを格納する領域８３とを備え、各検索語にそれぞれ対応するキーワードが記憶されるテーブル構造を有している。
【００４２】
例えば１行目のレコードを参照すると、携帯電話１の着信音を変える操作機能の説明文を検索する際にユーザが使用した検索語「ベルの音を変える」が領域８２に記憶され、この検索語「ベルの音を変える」に対応するキーワード、すなわち携帯電話１の着信音を変える操作機能の説明を検索する際に使用すべきキーワード「音設定」が領域８３に記憶されている。
【００４３】
図７は、図２の携帯電話１が操作機能の検索を行う際の動作フローチャート、すなわち携帯電話１が上記の端末Ａとして動作する際の動作フローチャートである。
ステップＳ３０において、機能検索ユーザインタフェース２０は、表示部１６に機能検索メニューを表示する。図８の（Ａ）〜図８の（Ｃ）は、端末Ａとしての携帯電話１の表示部１６に表示される機能検索メニュー画面を示す図である。
【００４４】
ステップＳ３１において、図８の（Ａ）に示す機能検索メニュー１００に表示される検索語入力領域１０１内に、ユーザが検索語を入力して決定キー１０２を操作すると、機能検索ユーザインタフェース２０は、入力された検索語を受け付ける。図１０の（Ａ）の例では、検索語として「ベルの音を変える」が入力される。
以後、後述のステップＳ４４に至るまで、表示部１６には、図１０の（Ｂ）に示すような待機メッセージ１０３が表示される。
【００４５】
ステップＳ３２において機能検索部２１は、機能検索ユーザインタフェース２０が受け付けた入力検索語を用いて、キーワード変換ＤＢ３１において入力検索語に対応して記憶されたキーワードを検索する。
ステップＳ３３において機能検索部２１は、入力検索語を用いて、機能説明ＤＢ３０において、入力検索語と同じキーワードに対応して記憶された操作機能の説明データを検索する。また機能検索部２１は、ステップＳ３２にて検索されたキーワードがある場合には、検索されたキーワードを用いて、機能説明ＤＢ３０において、このキーワードに対応して記憶された操作機能の説明データを検索する。
【００４６】
ステップＳ３４において機能検索部２１は、機能説明ＤＢ３０データベースから説明データが検索できたか否かを判定し、説明データが検索できた場合には、ステップＳ４４において機能検索部２１は、取得した説明データを機能検索ユーザインタフェース制御部２０へ出力する。機能検索ユーザインタフェース制御部２０は、図８の（Ｃ）に示すように機能検索メニュー１００に説明データ１０４を表示して、処理を終了する。図示の例では、説明データ「電話の着信音を変えるときは１を押して下さい」が表示されている。
【００４７】
ステップＳ３４における判定において説明データが検索できなかった場合には、機能検索部２１は、キーワード照会処理部４０のキーワード照会部４１に、入力検索語を用いた機能説明ＤＢ３０及びキーワード変換ＤＢ３１における検索では説明データが取得できない旨を通知する。
【００４８】
該通知を受けたキーワード照会部４１は、ステップＳ３５において照会先メールアドレス記憶部４２に予め記憶されたメールアドレスを参照する。
ステップＳ３６にてキーワード照会部４１は、照会先メールアドレス記憶部４２にメールアドレスが記憶されているか否かの判定を行う。記憶されていない場合には処理が終了する。照会先メールアドレス記憶部４２にメールアドレスが記憶されている場合には、キーワード照会部４１は、記憶されたメールアドレスを有する携帯電話を宛先とする、キーワード照会依頼メッセージを作成する。キーワード照会依頼メッセージの宛先となる携帯電話を、以下、図１を参照した上記説明と同様に「端末Ｂ」と示す。
【００４９】
キーワード照会依頼メッセージの内容を図９の（Ａ）に示す。キーワード照会依頼メッセージは、宛先アドレス１２０として端末Ｂのメールアドレスを有し、送信元アドレスとして端末Ａのアドレスを有し、件名１２３として本メールがキーワード照会依頼メッセージであることを示す識別子「キーワード照会依頼」が含まれている。また本文１２４として、ステップＳ３１にて入力された入力検索語を含む。本例では入力検索語として「ベルの音を変える」が含まれている。本メールがキーワード照会依頼メッセージであることを示す識別子を本文１２４内に含んでもよい。ステップＳ３８において、キーワード照会依頼メッセージはメール送受信部１３により端末Ｂに送信される。
【００５０】
後述するように、端末Ｂは、キーワード照会依頼メッセージを受信すると、キーワード照会依頼メッセージに含まれる入力検索語によって示される機能を機能説明データベースから検索する際に使用すべきキーワードを入力するように、端末Ｂのユーザに促す。
端末Ｂは、ユーザから受け付けた入力キーワードによる機能説明ＤＢ３０における検索を依頼するキーワード検索依頼メッセージを端末Ａに送信する。
または端末Ｂは、キーワード照会依頼メッセージに含まれる入力検索語と、端末Ｂのユーザから受け付けた入力キーワードの組み合わせであるキーワードリンクを、キーワード変換ＤＢ３１に登録することを指示するキーワードリンク追加指示メッセージを端末Ａに送信する。
【００５１】
このため、ステップＳ３９において端末Ａは、端末Ｂからの電子メールを受信する。送信されたメールがキーワード検索依頼メッセージであった場合には、キーワード検索依頼メッセージはキーワード照会処理部４０の検索依頼受付部４４によって受信される。キーワード検索依頼メッセージの内容の例を図９の（Ｂ）に示す。
【００５２】
キーワード検索依頼メッセージは、宛先アドレス１２０として端末Ａのメールアドレスを有し、送信元アドレスとして端末Ｂのアドレスを有し、件名１２３として本メールがキーワード検索依頼メッセージであることを示す識別子「キーワード検索依頼」が含まれている。また本文１２４として、端末Ｂのユーザによって入力された入力キーワードを含む。本例では入力キーワードとして「音設定」が含まれている。本メールがキーワード検索依頼メッセージであることを示す識別子を本文１２４内に含んでもよい。
【００５３】
図７のステップＳ４０においてＤＢ検索依頼部４５は、検索依頼受付部４４が受信したキーワード検索依頼メッセージに含まれる入力キーワードを用いて、機能説明ＤＢ３０において検索を行うことを機能検索部２１に依頼し、その検索結果である説明データを機能検索部２１から入力する。
ステップＳ４１において検索結果送信部４６は、ＤＢ検索依頼部４５が受信した説明データを端末Ｂへ送信するキーワード検索結果メッセージを作成する。
【００５４】
キーワード検索結果メッセージの内容の例を図９の（Ｃ）に示す。キーワード検索結果メッセージは、宛先アドレス１２０として端末Ｂのメールアドレスを有し、送信元アドレスとして端末Ａのアドレスを有し、件名１２３として本メールがキーワード検索結果メッセージであることを示す識別子「キーワード検索結果」が含まれている。
また本文１２４として、キーワード検索依頼メッセージに含まれていた入力キーワードと、キーワードにより機能検索部２１が実行した検索の検索結果である説明データとの組み合わせを含む。本例では入力キーワードとして「音設定」が含み、説明データとして「電話の着信音を変えるときは１を押して下さい」が含まれる。
本メールがキーワード検索結果メッセージであることを示す識別子を本文１２４内に含んでもよい。キーワード検索結果メッセージがメール送受信部１３により端末Ｂに送信されたのち、処理がステップＳ３９に戻る。
【００５５】
ステップＳ３９において、端末Ｂから端末Ａに送信された電子メールが、キーワードリンク追加指示メッセージであった場合には、キーワードリンク追加指示メッセージはキーワード照会処理部４０のキーワード照会部４１によって受信される。キーワードリンク追加指示メッセージの内容の例を図９の（Ｄ）に示す。
【００５６】
キーワードリンク追加指示メッセージは、宛先アドレス１２０として端末Ａのメールアドレスを有し、送信元アドレスとして端末Ｂのアドレスを有し、件名１２３として本メールがキーワードリンク追加指示メッセージであることを示す識別子「キーワードリンク追加指示」が含まれている。
また本文１２４として、キーワード照会依頼メッセージに含めた入力検索語と、この入力検索語によって示される機能を機能説明データベースから検索する際に使用すべきキーワードとして端末Ｂのユーザが決定した入力キーワードとの組み合わせであるキーワードリンクを含む。本例では検索語として「ベルの音を変える」を含み、入力キーワードとして「音設定」を含む。本メールがキーワードリンク追加指示メッセージであることを示す識別子を本文１２４内に含んでもよい。
【００５７】
ステップＳ４２においてキーワード照会処理部４０の検索語登録部４３は、キーワード照会部４１が端末Ｂから受信したキーワードリンク追加指示メッセージに含まれるキーワードリンクを、キーワード変換ＤＢ３１に登録する。
ステップＳ４３において、機能検索部２１は、ステップＳ４２においてキーワード変換ＤＢに登録されたキーワードリンクに含まれるキーワードを用いて、機能説明ＤＢデータベースにて機能の説明データの検索を行う。
ステップＳ４４において、機能検索部２１は、取得した説明データを機能検索ユーザインタフェース制御部２０へ出力する。機能検索ユーザインタフェース制御部２０は、図８の（Ｃ）に示すように機能検索メニュー１００に説明データ１０４を表示する。
【００５８】
図１０は、図２の携帯電話１が、端末Ａとして動作する携帯電話からの照会に応じて検索用キーワードを返答する際の動作フローチャート、即ち、すなわち携帯電話１が上記の端末Ｂとして動作する際の動作フローチャートである。
ステップＳ５０においてキーワード回答処理部５０のキーワード照会受付部５１は、端末Ａから送信されたキーワード照会依頼メッセージ（図９の（Ａ））を受信し、キーワード照会依頼メッセージに含まれる入力検索語をキーワード入力ユーザインタフェース制御部６０へ出力する。
【００５９】
ステップＳ５１においてキーワード入力ユーザインタフェース制御部６０は、表示部１６に表示されるキーワード入力画面に入力検索語を表示する。図１１の（Ａ）〜図１１の（Ｃ）は、端末Ｂとしての携帯電話１の表示部１６に表示されるキーワード入力画面を示す図である。
図１１の（Ａ）に示すとおりキーワード入力画面１１０は、端末Ａのユーザから機能の検索キーワードの照会を受け付けたことを知らせるメッセージ１１１と、入力検索語を表示する領域１１２と、入力検索語によって示される機能を端末Ａの機能説明ＤＢ３０から検索する際に使用すべきキーワードを入力するように端末Ｂのユーザに促すメッセージ１１３と、端末Ｂのユーザがキーワードを入力するキーワード入力領域１１４とを有する。
【００６０】
端末Ｂのユーザがキーワード入力画面１１０のキーワード入力領域１１４にキーワードを入力してから決定キー１１５を操作すると、ステップＳ５２において、ステップＳ５２においてキーワード入力ユーザインタフェース制御部６０は、入力されたキーワードを受け付ける。
ステップＳ５３において検索依頼部５３は、キーワード入力ユーザインタフェース制御部６０を介して入力キーワードを取得し、キーワード検索依頼メッセージ（図９の（Ｂ））を作成する。
ステップＳ５４においてキーワード検索依頼メッセージは、メール送受信部１３により端末Ａに送信され、ステップＳ５５において検索結果受信部５４は、キーワード検索依頼メッセージに応答して端末Ａから送信されたキーワード検索結果メッセージ（図９の（Ｃ））を受信する。
【００６１】
ステップＳ５６においてキーワード入力ユーザインタフェース制御部６０は、ステップＳ５５において検索結果受信部５４が受信したキーワード検索結果メッセージに含まれる説明データを、キーワード入力画面１１０上に表示する。
図１１の（Ｂ）に示すキーワード入力画面１１０は説明データを表示する領域１１６と、ステップＳ５２にて入力された入力キーワードが適切であるか否かをユーザが判断した判断結果を受け付けるための「ＯＫ」キー１１７と「ＮＧ」キー１１８が表示される。
【００６２】
ステップＳ５７では、ステップＳ５２にて入力された入力キーワードが適切であるか否かについて端末Ｂのユーザによる判断が行われる。領域１１６の表示内容を参照したユーザが、入力キーワードを適切でないと判断し「ＮＧ」キー１１８を操作した場合には、処理はステップＳ５２に戻り、キーワード入力ユーザインタフェース制御部６０は、ユーザからのキーワードの入力を再び受け付ける。
【００６３】
また、ステップＳ５２にて入力されたキーワードによる機能説明ＤＢ３０における検索の結果、説明データが得られなかった場合、例えば、入力キーワードが機能説明ＤＢ３０の検索キーワードでなかった場合には、検索結果送信部４６は、本文１２４に説明データを含まないキーワード検索結果メッセージを返送してよい。
【００６４】
このようなキーワード検索結果メッセージをステップＳ５５にて受信した検索結果受信部５４は、キーワード入力ユーザインタフェース制御部６０にその旨を通知する。キーワード入力ユーザインタフェース制御部６０は、ステップＳ５６にて、図１１の（Ｃ）に示すように、入力キーワードに対する機能説明が端末Ａの機能説明ＤＢ３０になかったことをキーワード入力画面１１０に表示する。
ユーザにより「ＯＫ」キー１１９が操作された場合には、キーワード入力ユーザインタフェース制御部６０は、処理をステップＳ５２に戻し、ユーザからのキーワードの入力を再び受け付ける。
【００６５】
ステップＳ５７における判定において、ユーザが、入力キーワードを適切であると判断し「ＯＫ」キー１１７を操作した場合には、ステップＳ５８においてキーワード回答処理部５０の照会回答部５２は、キーワード入力ユーザインタフェース制御部６０から取得した入力キーワードと、キーワード照会依頼メッセージに含まれていた検索語との組み合わせをキーワードリンクとして含むキーワードリンク追加指示メッセージ（図９の（Ｄ））を作成する。
ステップＳ５９においてキーワードリンク追加指示メッセージは、メール送受信部１３によって端末Ａに送信される。
【００６６】
図１２は開示の携帯電話１の第２実施例を示す概略構成図であり、図１３は、図１２に示すキーワード照会処理部４０の概略構成を示すブロック図である。
本実施例では、機能説明ＤＢ３０及びキーワード変換ＤＢ３１は、携帯電話１の外部に設けられ、携帯電話１は、無線制御部１１及び呼制御部１２により提供される無線通信回線を介して、機能説明ＤＢ３０及びキーワード変換ＤＢ３１にそれぞれアクセスする機能説明ＤＢアクセス部７０及びキーワード変換ＤＢアクセス部７１を備える。
通信媒体を介して外部の機能説明ＤＢ３０及びキーワード変換ＤＢ３１にアクセスする点を除いて、本実施例は、図２及び図３を参照して示した実施例と同様である。
【００６７】
また、機能説明ＤＢ３０及びキーワード変換ＤＢ３１の両方を携帯電話１の外部に設ける必要はなく、これらデータベースＤＢのどちらか一方を外部に設け、他方を携帯電話１内に実装してもよい。また、機能説明ＤＢアクセス部７０及びキーワード変換ＤＢアクセス部７１が機能説明ＤＢ３０及びキーワード変換ＤＢ３１へアクセスする通信媒体は、無線通信回線に限定されず、他の様々な種類の通信媒体を用いて機能説明ＤＢ３０及びキーワード変換ＤＢ３１へアクセスできるように構成することができる。
【００６８】
以上の実施例を含む実施形態に関し、更に以下の付記を開示する。
【００６９】
（付記１）
携帯電話であって、
該携帯電話としての第１の携帯電話が有する諸機能の説明データを記憶しかつ第１の携帯電話からアクセスできる機能説明データベースにおける、前記諸機能のうちのいずれかの機能の検索に使用する検索語の入力を受け付ける検索語受付部と、
予め登録されている他の携帯電話としての第２の携帯電話に、前記検索語を送信して前記いずれかの機能を前記機能説明データベースから検索できるキーワードを照会するキーワード照会部と、
第２の携帯電話から取得した前記キーワード、前記検索語受付部により受け付けた前記検索語、及び該キーワードと該検索語との対応付けを、第１の携帯電話からアクセスできるキーワード変換データベースに登録する検索語登録部と、
前記キーワード変換データベースにおいて前記検索語受付部により受け付けた検索語に対応付けられたキーワードによって、前記機能説明データベースから前記いずれかの機能の説明データを検索する機能検索部と、
を備える携帯電話。
【００７０】
（付記２）
前記キーワードが照会された第２の携帯電話から、前記機能説明データベースにおける前記キーワードによる検索を依頼する検索依頼メッセージを受け付ける検索依頼受付部と、
前記機能説明データベースにおける前記キーワードによる検索結果を第２の携帯電話に送信する検索結果送信部と、
を備える付記１に記載の携帯電話。
【００７１】
（付記３）
携帯電話であって、該携帯電話としての第１の携帯電話は、
他の携帯電話としての第２の携帯電話から、第２の携帯電話が有する諸機能の説明データを記憶しかつ第２の携帯電話からアクセスできる機能説明データベースにおける、前記諸機能のうちのいずれかの機能の検索に使用する検索語を受信し、前記いずれかの機能について前記機能説明データベースで使用されるキーワードに関する照会を受け付けるキーワード照会受付部と、
前記検索語をユーザに表示する表示部と、
前記ユーザによる前記キーワードの入力を受け付けるキーワード受付部と、
入力された前記キーワードを送信することにより第２の携帯電話に対して前記キーワードの照会へ回答する照会回答部と、
を備える携帯電話。
【００７２】
（付記４）
前記機能説明データベースにおける、前記キーワード受付部により受け付けられた前記キーワードによる検索を依頼する検索依頼メッセージを、第２の携帯電話に送信する検索依頼部と、
第２の携帯電話から、前記機能説明データベースにおける前記キーワードによる検索結果を受信する検索結果受信部と、
受信した前記検索結果を前記ユーザに表示する検索結果表示部と、
前記ユーザによる前記キーワードの採否の入力を受け付ける採否受付部と、を備え、
前記ユーザにより前記キーワードが採用されなかったとき、前記キーワード受付部は、前記キーワードの入力を再度受け付ける、付記３に記載の携帯電話。
【００７３】
（付記５）
付記１又は付記２に記載の携帯電話としての第１の携帯電話と、付記３又は付記４に記載の携帯電話としての第２の携帯電話とを備え、
前記第２の携帯電話の前記キーワード照会受付部が、前記第１の携帯電話の前記キーワード照会部によるキーワードに関する照会を受け付け、
前記第２の携帯電話の前記照会回答部が、前記第１の携帯電話の前記キーワード照会部によるキーワードに関する照会に回答する通信システム。
【００７４】
（付記６）
第１の携帯電話が有する諸機能の説明データを記憶しかつ第１の携帯電話からアクセスできる機能説明データベースにおける、前記諸機能のうちのいずれかの機能の検索に使用する検索語の入力を、第１の携帯電話が受け付け、
第１の携帯電話が、予め第１の携帯電話に登録された第２の携帯電話に、前記検索語を送信して前記いずれかの機能について前記機能説明データベースで使用されるキーワードを照会し、
第２の携帯電話が、前記検索語をユーザに表示し、
第２の携帯電話が、前記ユーザによる前記キーワードの入力を受け付け、
第２の携帯電話が、入力された前記キーワードを第１の携帯電話に送信し、
第１の携帯電話が、第２の携帯電話から受信した前記キーワード、受け付けた前記検索語、及び該キーワードと該検索語との対応付けを、第１の携帯電話からアクセスできるキーワード変換データベースに登録し、
第１の携帯電話が、前記キーワード変換データベースにおいて前記検索語に対応付けられたキーワードによって、前記機能説明データベースから前記いずれかの機能の説明データを検索する、携帯電話の機能説明の検索方法。
【００７５】
（付記７）
第２の携帯電話が、前記ユーザから受け付けた前記キーワードによる前記機能説明データベースにおける検索を、第１の携帯電話に依頼し、
第１の携帯電話が、前記機能説明データベースにおける前記キーワードによる検索結果を第２の携帯電話に送信し、
第２の携帯電話が、受信した前記検索結果を前記ユーザに表示し、
第２の携帯電話が、前記ユーザによる前記キーワードの採否の入力を受け付け、
第２の携帯電話が、前記キーワードが採用されないとき前記キーワードの入力を再度受け付ける付記６に記載の検索方法。
【図面の簡単な説明】
【００７６】
【図１】開示の携帯電話の機能説明の検索方法の第１実施例を示すフローチャートである。
【図２】開示の携帯電話の第１実施例を示す概略構成図である。
【図３】図２に示すキーワード照会処理部の概略構成を示すブロック図である。
【図４】図２に示すキーワード回答処理部の概略構成を示すブロック図である。
【図５】図２に示す機能説明データベースのデータ構造の例を示す図である。
【図６】図２に示すキーワード変換データベースのデータ構造の例を示す図である。
【図７】図２の携帯電話が操作機能の検索を行う際の動作フローチャートである。
【図８】（Ａ）〜（Ｃ）は、図２の携帯電話による操作機能の検索の際に表示部に表示される機能検索メニュー画面を示す図である。
【図９】（Ａ）〜（Ｄ）は、図２の携帯電話による操作機能の検索の際に携帯電話間でやりとりされる電子メールの例を示す図である。
【図１０】図２の携帯電話が他の携帯電話からの照会に応じて検索用キーワードを返答する際の動作フローチャートである。
【図１１】（Ａ）〜（Ｃ）は、図２の携帯電話が他の携帯電話からの照会に応答する際に表示部に表示される画面を示す図である。
【図１２】開示の携帯電話の第２実施例を示す概略構成図である。
【図１３】図１２に示すキーワード照会処理部の概略構成を示すブロック図である。
【符号の説明】
【００７７】
１    携帯電話
２０    機能検索ユーザインタフェース制御部
２１    機能検索部
３０    機能説明データベース
３１    キーワード変換データベース
４０    キーワード照会処理部
４１    キーワード照会部
４３    検索語登録部
４４    検索依頼受付部
４６    検索結果送信部
５０    キーワード回答処理部
５１    キーワード照会受付部
５２    照会回答部
５３    検索依頼部
５４    検索結果受信部
６０    キーワード入力ユーザインタフェース制御部
【図１】
2010034693.tif 000003
【図２】
2010034693.tif 000004
【図３】
2010034693.tif 000005
【図４】
2010034693.tif 000006
【図５】
2010034693.tif 000007
【図６】
2010034693.tif 000008
【図７】
2010034693.tif 000009
【図８】
2010034693.tif 000010
【図９】
2010034693.tif 000011
【図１０】
2010034693.tif 000012
【図１１】
2010034693.tif 000013
【図１２】
2010034693.tif 000014
【図１３】
2010034693.tif 000015